(57)【要約】【課題】着席した人の足下を効果的に暖めることができる暖房機能付き家具を供すること。【解決手段】天板１２と、その天板１２に連結されてこれを所定の高さに保持するための脚部１６と、前記天板１２に設けられた発熱層１２ｂと、その発熱層１２ｂへ給電するための電源ケーブル１８とを備えた発熱機能付き家具である。天板１２は、例えば一枚の板ガラス１２ａを有し、前記発熱層１２ｂが、天板１２の板ガラス１２ａの表面に形成されている。【選択図】図２
2007330402.tif 000002
【特許請求の範囲】
【請求項１】
天板と、その天板に連結されてこれを所定の高さに保持するための脚部と、前記天板に設けられた発熱手段と、その発熱手段へ給電するための給電手段とを備えた発熱機能付き家具であって、
前記天板は一枚の板ガラスを備え、
前記発熱手段は、前記天板を構成する板ガラスのいずれかの表面に薄膜状に形成された発熱層でなり、
前記給電手段は、前記発熱手段の発熱層に電気的に接続されてこれに電力を供給するようになっている
ことを特徴とする発熱機能付き家具。
【請求項２】
天板と、その天板に連結されてこれを所定の高さに保持するための脚部と、前記天板に設けられた発熱手段と、その発熱手段へ給電するための給電手段とを備えた発熱機能付き家具であって、
前記天板は、互いに並行に配設された複数の板ガラスを有し、
前記発熱手段は、前記天板を構成する板ガラスのうち、最も下方に位置している板ガラスの内側面に薄膜状に形成された発熱層でなり、
前記給電手段は、前記発熱手段の発熱層に電気的に接続されてこれに電力を供給するようになっている
ことを特徴とする発熱機能付き家具。
【請求項３】
天板と、その天板に連結されてこれを所定の高さに保持するための脚部と、前記天板に設けられた発熱手段と、その発熱手段へ給電するための給電手段とを備えた発熱機能付き家具であって、
前記天板は、互いに並行に配設された複数の板ガラスを有し、
前記発熱手段は、前記天板を構成する板ガラスのうち、最も下方に位置している板ガラス以外のいずれかの板ガラスの表面に薄膜状に形成された発熱層でなり、
前記給電手段は、前記発熱手段の発熱層に電気的に接続されてこれに電力を供給するようになっている
ことを特徴とする発熱機能付き家具。
【請求項４】
前記天板が、前記複数の板ガラスを、その間隔をあけて互いに固定して形成した複層ガラスでなることを特徴とする請求項２又は３に記載の発熱機能付き家具。
【請求項５】
前記天板が、前記複数の板ガラスを、前記発熱層を介在させて密着させた合わせガラスでなることを特徴とする請求項２又は３に記載の発熱機能付き家具。
【請求項６】
前記天板が、前記合わせガラスの上方に間隔をあけて板ガラスを並設固定した複層ガラスでなることを特徴とする請求項５に記載の発熱機能付き家具。
【請求項７】
前記天板を構成する板ガラスのうち、最も上面側に配置されている板ガラスが赤外線反射ガラスであることを特徴とする請求項２から６までのいずれかに記載の発熱機能付き家具。
【請求項８】
前記天板を構成する板ガラスのうち、最も下面側に配置されている板ガラスが赤外線反射ガラスであることを特徴とする請求項２から６までに記載の発熱機能付き家具。
【請求項９】
前記天板を構成する複数の板ガラスのうち、少なくとも最も上面側に配置されているものの平面寸法が他の板ガラスの平面寸法よりも大であることを特徴とする請求項２から８までのいずれかに記載の発熱機能付き家具。
【発明の詳細な説明】
【技術分野】
【０００１】
この発明は発熱機能付き家具に係わり、特にデザイン性に優れ均一な加温効果を奏する発熱機能付き家具に関する。
【背景技術】
【０００２】
発熱機能を備えた家具として、古来こたつが広く知られ、また使用されている。今日、こたつの熱源としては赤外線ランプ等の電気発熱体が一般的に用いられており、このような熱源を天板の下面に設けてなる電気こたつが特に畳敷きの和室で広く使用される。また、近年ライフスタイルが洋風化する中、いわゆるフローリング床の洋室を備えた住宅も非常に多いが、このような洋室で使用するテーブルに電気こたつと同様の着想で発熱機能を付加したものも見受けられる。例えば特許文献１を参照されたい。
【特許文献１】特開平９−２１５３５
【発明の開示】
【発明が解決しようとする課題】
【０００３】
一方、こたつにしても、テーブルにしても、居室内で使用するものであるから、外観デザインは重要な要素である。この点、テーブルには例えば天板を板ガラスで構成したものなどが見受けられるが、特許文献１に記載されているこたつ的な発想から得られる発熱テーブルの構成では、特に透明な板ガラスを天板として使用するような構成は、放熱パネルやヒーターが上方から天板を通して丸見えとなってしまうので採用することができないといったデザイン上の制約がある。
【０００４】
また、熱源が一般に天板下面の中央部に集中配置されることから、テーブルやこたつの下方空間を均一に暖めることが難しい。
【課題を解決するための手段】
【０００５】
本発明は上記の、及び他の課題を解決するためになされたもので、その一実施態様による発熱機能付き家具は、天板と、その天板に連結されてこれを所定の高さに保持するための脚部と、前記天板に設けられた発熱手段と、その発熱手段へ給電するための給電手段とを備えた発熱機能付き家具であって、前記天板は一枚の板ガラスを備え、前記発熱手段は、前記天板を構成する板ガラスのいずれかの表面に薄膜状に形成された発熱層でなり、前記給電手段は、前記発熱手段の発熱層に電気的に接続されてこれに電力を供給するようになっていることを特徴とする。
【０００６】
また、本発明の他の実施態様による発熱機能付き家具は、天板と、その天板に連結されてこれを所定の高さに保持するための脚部と、前記天板に設けられた発熱手段と、その発熱手段へ給電するための給電手段とを備えた発熱機能付き家具であって、前記天板は、互いに並行に配設された複数の板ガラスを有し、前記発熱手段は、前記天板を構成する板ガラスのうち、最も下方に位置している板ガラスの内側面に薄膜状に形成された発熱層でなり、前記給電手段は、前記発熱手段の発熱層に電気的に接続されてこれに電力を供給するようになっていることを特徴とする。
【０００７】
さらに、本発明の別の実施態様による発熱機能付き家具は、天板と、その天板に連結されてこれを所定の高さに保持するための脚部と、前記天板に設けられた発熱手段と、その発熱手段へ給電するための給電手段とを備えた発熱機能付き家具であって、前記天板は、互いに並行に配設された複数の板ガラスを有し、前記発熱手段は、前記天板を構成する板ガラスのうち、最も下方に位置している板ガラス以外のいずれかの板ガラスの表面に薄膜状に形成された発熱層でなり、前記給電手段は、前記発熱手段の発熱層に電気的に接続されてこれに電力を供給するようになっていることを特徴とする。
【０００８】
前記天板は、前記複数の板ガラスを、その間隔をあけて互いに固定して形成した複層ガラス、または、前記複数の板ガラスを、前記発熱層を介在させて密着させた合わせガラスとすることができる。
【０００９】
また、前記天板は、前記合わせガラスの上方に間隔をあけて板ガラスを並設固定した複層ガラスとすることができる。
【００１０】
前記天板を構成する板ガラスのうち、最も上面側に配置されている板ガラスを赤外線反射ガラスとすることができる。
【００１１】
また、前記天板を構成する複数の板ガラスのうち、少なくとも最も上面側に配置されているものの平面寸法を、他の板ガラスの平面寸法よりも大とすることができる。
【発明の効果】
【００１２】
本発明によれば、天板に設けた薄膜状の発熱層の全面から均一に放熱されるので、天板自体が暖まって暖房・加温効果を発揮するとともに、着席した人を効果的に暖めることができる。また、天板と別体の熱源を天板の下面側に設ける必要がないので、家具のデザイン上の自由度が高まると共に着席する人の足下が広くなる。天板に合わせガラスを用いれば、災害等により万一破損した場合でも破片の飛散がきわめて少なく安全である。また、前記天板を構成する板ガラスのうち、最も上面側に配置されている板ガラスを赤外線反射ガラスとすれば、天板の上面から逃げる熱が減少して天板の下方をより効果的に暖めることができ、最も上面側に配置されている板ガラスを赤外線反射ガラスとすれば、逆に天板の下面から熱が散逸するのを抑制して天板の上方をより効果的に暖めることができる。また、天板を構成する複数の板ガラスのうち、少なくとも最も上面側に配置されているものの平面寸法が他の板ガラスの平面寸法よりも大となるようにすれば、発熱層の面積と関係なく、デザイン、機能の要請に応じて天板上面の面積を設定することができる。
【発明を実施するための最良の形態】
【００１３】
以下、本発明をその実施形態に即して添付図面を参照しつつ説明する。
【００１４】
《第１実施形態》
本発明の第１実施形態に係る発熱機能付き家具を図１〜図３に示す。図１は天板の上方から見た平面図、図２は図１のII−II矢視断面図、図３は、図２のIII部拡大断面図である。
【００１５】
図１、図２に図示するように、この実施形態の発熱機能付き家具は発熱テーブル１０として構成されており、天板１２と、その天板１２に連結されてこれを所定の高さに保持するための脚部１６と、前記天板１２に設けられた発熱手段である発熱層１２ｂと、その発熱層１２ｂへ給電するための給電手段である電源ケーブル１８とを備えている。
【００１６】
天板１２は１枚の板ガラス１２ａによって構成されており、例えば不慮の衝撃に備えて強化ガラスや合わせガラスを採用することにより安全性を高めることができる。本実施形態では、この板ガラス１２ａは脚部１６の内法寸法内に収まる形状寸法とされているが、脚部１６の取り付け位置よりも外方へ張り出すような寸法としても良く、またその外形形状も図示のような矩形に限らず、円形、楕円形、他の多角形等の多様な形態を取ることができる。天板１２の板ガラス１２ａには、その下面のほぼ全体にわたって、通電することにより発熱する発熱層１２ｂが形成されている。発熱層１２ｂは、典型的には光透過性を有する金属薄膜のコーティング層であり、スズ、金、銀、インジウム、亜鉛、チタン等の金属酸化物を用いて形成することができる。あるいは、発熱層１２ｃは、水溶性の発熱塗料、例えば特開平８−４１３８８号公報に記載されているものを用いて形成することもできる。なお、発熱層１２ｂは、天板上に物を才知したときなどに損傷するのを防ぐために、本実施形態のように天板１２の下面に設けることが一般的であるが、適宜の保護部材を適用することにより天板１２の上面に設けることも可能である。
【００１７】
図３を参照して天板１２の構成をより詳しく説明する。発熱層１２ｂには、電極１２ｃが設けられる。この電極１２ｃは細長い箔状の導電性部材であり、図３に示すように、天板１２の板ガラス１２ａに設けられた発熱層１２ｂの一端部に沿って板ガラス１２ａのほぼ全幅にわたって付設されている。なお、図示は省略しているが、板ガラス１２ａの他端部側にも同様の電極１２ｃが設けられており、これら２つの電極１２ｃの間にある発熱層１２ｂが電流路となるように構成される。電極１２ｃにはそれぞれ電極端子（図示せず）が設けられ、ここに後述する電源ケーブル１８が接続される。
【００１８】
電源ケーブル１８は、発熱層１２ｃを電源に接続する。電源としては、商用交流電源（ＡＣ１００Ｖ、５０／６０Hz）を用いるのが一般的であるが、家具の設置環境に応じてそれ以外の電源を使用してもよい。また、電源と発熱層１２ｂとの間に適宜電源スイッチや可変抵抗器等の電流調整手段を介在させてもよい。本実施形態では、図２に示すように、電極端子１９に接続されている電源ケーブル１８は脚部１６の内部を配線され、脚部１６の最下端から引き出され、その先端には適宜の接続器具が設けられる。したがって、電源ケーブル１８を人が不用意に引っかけたりするおそれが減り使い勝手がよい。
【００１９】
天板１２は、上方が開放されている断面Ｌ字形状の支持枠１４によってほぼ水平に支持される。支持枠１４は天板１２の自重とその許容荷重に耐えられる機械的な強度を有するものであれば、デザイン上の要求や経済性を勘案して適宜の材料をもって構成してよい。また天板１２の全周にわたって支持する図示のような構成でもよいし、天板１２の外周を必要に応じて部分的に支持する、例えば天板１２の四隅だけを支持するような構成とすることもできる。
【００２０】
天板１２と支持枠１４との間には、天板１２の下面側に下部緩衝材１５ｂが、側方側に横緩衝材１５ａが挟み込んであり、天板１２と支持枠１４との間の変位により天板１２に無理な外力が作用するのを緩衝している。
【００２１】
図３に符号Ｗで示しているのは、天板１２の板ガラス１２ａの外周から所定寸法だけ内側に設けられた帯状の領域である。この領域をそのまま透明にしておくと、板ガラス１２ａを通して下部緩衝材１５ｂ等の構造部材が見えてしまうため、この領域Ｗにエッチングやサンドブラスト、印刷等による彩色、装飾板の取り付けといった加飾を施すことが好ましい。なお、このような加飾はデザイン上の要請によって上記以外の領域に適宜施して差し支えない。
【００２２】
脚部１６は支持枠１４の四隅でこれを支持する構造材であって、所要の耐荷重性能等に応じて適宜に材料選択をすることができ、また形状寸法も自由に定めることができる。
【００２３】
上記の構成を有する本実施形態の暖房テーブルによれば、電源ケーブル１８を通じて天板１２の発熱層１２ｃに給電すると、板ガラス１２ｂの全面に設けられた発熱層１２ｃが均一に発熱して天板１２を暖める。天板１２と別体の熱源を天板１２の下面側に設ける必要がないので、家具のデザイン上の自由度が高まると共に着席する人の足下が広くなる。
【００２４】
《第２実施形態》
本発明の第２実施形態に係る発熱機能付き家具を図４〜図８に示す。図４は天板の上方から見た平面図、図５は図４のV−V矢視断面図、図６は、図５のVI部拡大断面図、図７は図４のVII部拡大平面図、図８は図７のVIII−VIII矢視断面図である。
【００２５】
図４，図５に図示するように、この実施形態の発熱機能付き家具は、前記第１実施形態と同様に暖房テーブル１０として構成されており、天板１２と、脚部１６と、前記天板１２に設けられた発熱手段である発熱層１２ｂと、その発熱層１２ｂへ給電するための給電手段である電源ケーブル１８とを備えている。
【００２６】
天板１２は、２枚の板ガラス１２ａ，１２ｄを、その間に空気層１２ｅが形成されるように間隔をあけて設けて、互いにその外周縁部で固接してなる複層ガラスである。本実施形態では、２枚の板ガラス１２ａ，１２ｄの平面形状寸法は同一である。天板１２としての下側に配置される一方の板ガラス１２ａには、その他方の板ガラス１２ｄと対向する側の面に、発熱層１２ｂが形成されている。すなわち、発熱層１２ｂは、下側のガラス１２ａの空気層１２ｅ側の表面全体に形成されている。発熱層１２ｂとしては、第１実施形態において例示したコーティング層等を用いればよい。最も上面側に配置されている板ガラス１２ｄとしては、安全性の点から強化ガラス又は合わせガラスを採用することができる。また、板ガラス１２ｄとして赤外線反射ガラス（Ｌｏｗ−ｅガラス）を用いれば、発熱層１２ｂから上方へ放射される赤外線が板ガラス１２ｄで下方へ反射されるため、暖房効果がいっそう高まる。
【００２７】
図６を参照して天板１２の構成をより詳しく説明する。板ガラス１２ａ，１２ｄは、その外周縁部において、スペーサ１３ａ及び二次封止材１３ｂを介して互いに固定されている。スペーサ１３ａは例えば樹脂等電気絶縁性材料で形成した中空角材や表面に電気絶縁処理を施したアルミニウム等の金属中空押し出し型材などで構成することができ、板ガラス１２ａ，１２ｄの外周縁部に沿って連続する矩形状に配置され、それぞれの板ガラス１２ａ，１２ｄと接着剤によって接合されて、空気層１２ｅを封止するための一次封止部を形成している。スペーサ１３ａの外側にはこれに隣接して例えば樹脂等電気絶縁性材料製の二次封止材１３ｂが設けられる。スペーサ１３ａの内部には、空気層１２ｅ内の結露を防止するために乾燥剤１３ｃが収装されていて、図示は省略するが、スペーサ１３ａ内部と空気層１２ｅとの間は通気できるように小孔等を通じて連絡している。
【００２８】
発熱層１２ｂには、電極１２ｃが設けられる。この電極１２ｃは細長い箔状の導電性部材であり、図６，７に示すように、天板１２の下側の板ガラス１２ａに設けられた発熱層１２ｂの一端部に沿って板ガラス１２ａのほぼ全幅にわたって付設されている。なお、図示は省略しているが、板ガラス１２ａの他端部側にも同様の電極１２ｃが設けられており、これら２つの電極１２ｃの間にある発熱層１２ｂが電流路となるように構成される。電極１２ｃには電極端子１９が設けられ、ここに後述する電源ケーブル１８の導体１８ａが接続される。電極端子１９は、電極１２ｅの長手に沿った電圧降下を補償するために、２ヶ所以上設けるようにしてもよい。
【００２９】
電源ケーブル１８は、発熱層１２ｂを電源に接続するためのもので、第１実施形態と同様の構成を採用すればよい。  
天板１２は支持枠１４によって支持されており、第１実施形態と同様の構成を採用しうる。  
天板１２と支持枠１４との間には、天板１２の下面側に下部緩衝材１５ｂが、側方側に横緩衝材１５ａが挟み込んである。また加飾を施す領域Ｗを第１実施形態と同様に適宜に設けることができる。  
脚部１６も第１実施形態と同様の構成とすればよい。
【００３０】
上記の構成を有する本実施形態の発熱テーブルによれば、電源ケーブル１８を通じて天板１２の発熱層１２ｂに給電すると、板ガラス１２ａの全面に設けられた発熱層１２ｂが均一に発熱して暖房効果を発揮する。この際、発熱層１２ｂの上方には空気層１２ｅがあるため、この空気層１２ｅの断熱効果によって発熱層１２ｂで生じた熱は天板１２の下方へ主として放熱されるので、着席した人の足下を効果的に暖めることができる。また、天板１２と別体の熱源を天板１２の下面側に設ける必要がないので、家具のデザイン上の自由度が高まると共に着席する人の足下が広くなる。
【００３１】
なお、図示は簡単のために省略するが、天板１２を上記実施形態とは天地を逆にして設置してもよい。この場合、発熱層１２ｂは最も上方側の板ガラス１２ａの内表面に付設され、その下方に空気層１２ｅが介在する構成となる。このような構成にすれば、発熱層１２ｂからの熱は上方の板ガラス１２ａにもっぱら伝わると共に下方への放熱は空気層１２ｅによって妨げられるため、天板１２の上面を構成する板ガラスが効果的に加温される。そして、これにより天板１２の上面に載置したカップや湯飲みなどの内容物を保温する効果を得ることができる。このような構成を採用しうることは、後述する他の実施形態においても同様である。
【００３２】
《第３実施形態》
本発明の第３実施形態に係る発熱機能付き家具を図９〜図１１に示す。図９は天板の上方から見た平面図、図１０は図９のX−X矢視断面図、図１１は、図１０のXI部拡大断面図である。なお、第２実施形態と同様の構成部材には同じ符号を付してある。以下、第２実施形態との差異について主に説明する。
【００３３】
本実施形態に係る暖房機能付き家具は、第１実施形態と同様の基本構成を有する暖房テーブル１０である。ただし、上記の図から明らかであるが、本実施形態では、天板１２に用いられている２枚の板ガラス１２ｄ，１２ａのうち、上面側の板ガラス１２ｄが下面側の板ガラス１２ａよりも一回り大きく構成されている。これにより、下面側の板ガラス１２ａに形成されている発熱層１２ｂの面積と関係なく、デザイン、機能の要請に応じて天板１２の上面の面積を設定することができる。
【００３４】
《第４実施形態》
本発明の第４実施形態に係る発熱機能付き家具を図１２〜図１５に示す。図１２は天板の上方から見た平面図、図１３は図１２のXIII−XIII矢視断面図、図１４は、図１３のXIV部拡大断面図、図１５は図１２のXV−XV矢視断面図である。
【００３５】
図１２，図１３に図示するように、この実施形態の発熱機能付き家具は基本構成において第２実施形態のものと類似しているが、脚部１６が第２及び第３実施形態のものよりも短いこたつ風テーブル１０として構成されており、天板１２と、その天板１２に連結されてこれを所定の高さに保持するための前記脚部１６と、前記天板１２に設けられた発熱層１２ｂと、その発熱層１２ｂへ給電するための電源ケーブル１８とを備えている。
【００３６】
ここで、本実施形態では、天板１２は、第２及び第３実施形態と異なり、２枚の板ガラス１２ａ，１２ｄの間に中間層１２ｆを狭持するように固定されてなる合わせガラスである。天板１２としての下側に配置される一方の板ガラス１２ａの他方の板ガラス１２ｄと対向する側の面には、発熱層１２ｂが形成されている。すなわち、発熱層１２ｂは、下側のガラス１２ａの中間層１２ｆ側の表面に形成されている。上側板ガラス１２ｄとしては、安全性向上のために強化ガラスを使用することができる。なお、本実施形態のこたつ風テーブルでは天板上側の板ガラス１２ｄが下側の板ガラス１２ａよりもわずかに大きく形成されており、これによって上側板ガラス１２ｄの外周縁が支持枠１４の外周縁と面一とされているが、板ガラス１２ｄ，１２ａに同一の形状寸法のものを用いてもよい。
【００３７】
上述した天板１２の構成の差異を除いては、本実施形態の構成は概ね第２実施形態と同様であり、本実施形態のこたつ風テーブルによれば、電源ケーブル１８を通じて天板１２の発熱層１２ｂに給電すると、発熱層１２ｂが発熱して暖房効果を発揮する。この際、発熱層１２ｂの上方には合わせガラスの中間層１２ｆがあるため、この中間層１２ｆの断熱効果によって発熱層１２ｂで生じた熱は天板１２の下方へ主として放熱されるので、着席した人の足下を効果的に暖めることができる。暖房効果は、第２実施形態と同様に、板ガラス１２ａを赤外線反射ガラス（Ｌｏｗ−ｅガラス）とすればいっそう高まる。また、天板１２に合わせガラスを用いているので、災害等により万一破損した場合でも破片の飛散がきわめて少なく安全である。
【００３８】
《第５実施形態》
本発明の第５実施形態に係る発熱機能付き家具を図１６〜図１９に示す。図１６は天板の上方から見た平面図、図１７は図１６のXVII−XVII矢視断面図、図１８は、図１７のXVIII部拡大断面図、図１９は図１６のXIX−XIX矢視断面図である。
【００３９】
図１６，図１７に図示するように、この実施形態の発熱機能付き家具は基本構成において第２乃至第４実施形態のものと類似しているが、天板１２として第２実施形態の複層ガラスと第４実施形態の合わせガラスとを組み合わせた構成を備えている。図１７を参照すると、天板１２は、上面側の板ガラス１２ｄと下面側の板ガラス１２ａとを中間層１２ｆを狭持するように固定してなり、かつ下面側板ガラス１２ａの中間層１２ｆ側（内側）表面に発熱層１２ｂが形成されている合わせガラスを有する。そして、この合わせガラスのさらに上方に空気層１２ｅを介してさらに別の板ガラス１２ｇを配置してこれと合わせガラスとを固定して天板１２を構成している。
【００４０】
本実施形態の他の構成は第２及び第４実施形態と同様であり、電源ケーブル１８を通じて天板１２の発熱層１２ｂに給電すると、発熱層１２ｂの上方に設けられている中間層１２ｆ及び空気層１２ｅの断熱効果により、発熱層１２ｂで生じた熱は下方へ主として放熱されるので、着席した人の足下をより効果的に暖めることができる。また、天板１２と別体の熱源を天板の下面側に設ける必要がないので、家具のデザイン上の自由度が高まると共に着席する人の足下が広くなるといった効果を奏する。
【図面の簡単な説明】
【００４１】
【図１】本発明の第１実施形態を示す図であり、天板の上方から見た平面図である。
【図２】図１のII−II矢視断面図である。
【図３】図２のIII部拡大断面図である。
【図４】本発明の第２実施形態を示す図であり、天板の上方から見た平面図である。
【図５】図４のV−V矢視断面図である。
【図６】図５のVI部拡大断面図である。
【図７】図４のVII部拡大平面図である。
【図８】図７のVIII−VIII矢視断面図である。
【図９】本発明の第３実施形態を示す図であり、天板の上方から見た平面図である。
【図１０】図９のX−X矢視断面図である。
【図１１】図１０のXI部拡大断面図である。
【図１２】本発明の第４実施形態を示す図であり、天板の上方から見た平面図である。
【図１３】図１２のXIII−XIII矢視断面図である。
【図１４】図１３のXIV部拡大断面図である。
【図１５】図１２のXV−XV矢視断面図である。
【図１６】本発明の第５実施形態を示す図であり、天板の上方から見た平面図である。
【図１７】図１６のXVII−XVII矢視断面図である。
【図１８】図１７のXVIII部拡大断面図である。
【図１９】図１６のXIX−XIX矢視断面図である。
【符号の説明】
【００４２】
１０  暖房テーブル
１０’  こたつ風テーブル
１２  天板
１２ａ，１２ｄ，１２ｇ  板ガラス
１２ｂ  発熱層
１２ｅ  空気層
１２ｆ  中間層
１４  支持枠
１６  脚部
１８  電源ケーブル
【図１】
2007330402.tif 000003
【図２】
2007330402.tif 000004
【図３】
2007330402.tif 000005
【図４】
2007330402.tif 000006
【図５】
2007330402.tif 000007
【図６】
2007330402.tif 000008
【図７】
2007330402.tif 000009
【図８】
2007330402.tif 000010
【図９】
2007330402.tif 000011
【図１０】
2007330402.tif 000012
【図１１】
2007330402.tif 000013
【図１２】
2007330402.tif 000014
【図１３】
2007330402.tif 000015
【図１４】
2007330402.tif 000016
【図１５】
2007330402.tif 000017
【図１６】
2007330402.tif 000018
【図１７】
2007330402.tif 000019
【図１８】
2007330402.tif 000020
【図１９】
2007330402.tif 000021